(57)【特許請求の範囲】
【請求項１】
原稿を読み取る読取部と、前記読取部により一方の面を読み取った原稿を受け取るスタックガイドと、前記スタックガイドの原稿をスイッチバックさせるスイッチバック手段と、一方の面を読み取った原稿を前記スイッチバック手段へ向けて搬送するための反転搬送経路と、前記スタックガイドの原稿をスイッチバックさせて前記読取部へ搬送する搬入経路と、前記搬入経路を通り他方の面を読み取った原稿を前記スタックガイドへ搬送する搬出経路と、前記搬出経路から前記スイッチバック手段によりスイッチバックされる原稿を排出する排出経路と、一方の面を読み取った原稿の搬送経路を前記反転搬送経路と前記搬入経路とで切り換えるとともに、他方の面を読み取った原稿の搬送経路を前記搬出経路と前記排出経路とで切り換える第１切換手段とを備え、前記スタックガイドと原稿との接点位置が原稿の前記排出経路への進入位置よりも高い位置となるよう設けられたことを特徴とする原稿読取装置。
【請求項２】
前記反転搬送経路上で前記第１切換手段よりも上流側に両面・片面読取を切り換える第２切換手段を更に備え、前記第２切換手段は、前記搬出経路を形成することを特徴とする請求項１記載の原稿読取装置。
【請求項３】
前記スイッチバック手段は、上方側ローラと反転ローラと下方側ローラとからなる３連ローラであることを特徴とする請求項１記載の原稿読取装置。
【請求項４】
前記下方側ローラと前記反転ローラが前記原稿を排出している間に前記上方側ローラと前記反転ローラは次の原稿を引き込むことを特徴とする請求項３記載の原稿読取装置。
【発明の詳細な説明】
【０００１】
【発明の属する技術分野】
本発明は、原稿読取装置及びこれを備えたファクシミリ装置に関し、特に、スイッチバック方式により寸法の大きな原稿の両面読取を行う原稿読取装置及びこれを備えたファクシミリ装置に関する。
【０００２】
【従来の技術】
両面原稿を読取るための方式として、スイッチバック方式があり、この方式を用いた装置では、スイッチバック方式の高速化を図るために、１枚目の原稿の排出と２枚目の原稿の読取りを同時に行わせるもの（例えば、特開平１１−２９８６６７号、特願平７−１０９０６０号など）がある。
【０００３】
しかしながら、特願平７−１０９０６０号は、原稿の表裏を順次読取るものではなく、１枚目表、２枚目表、１枚目裏、２枚目裏という順に読取りを行っている。このため、記録紙へ印刷する場合もこの読取りの順に対応して印刷を行わなければならず、装置が複雑化してしまうという問題があった。
【０００４】
また、特願平１１−２９８６６７号は、特願平７−１０９０６０号の課題を解決しているが、１枚目の原稿の表面を読み取った後にトレイに保持された原稿をスイッチバックして読み取り部に向けて搬送する搬入経路と、読み取り部で読み取りが行われた原稿を１枚目の原稿の裏面を読み取って前記トレイに向けて搬送するための搬出経路とからなる搬送経路が交差する部分を有する閉じたループをなしているので、読み取りを行う原稿が長寸なものである場合、スイッチバックしてきた原稿の先頭の端が、搬送経路の交差した部分でその原稿自体に当たってしまうという問題があった。これを防止するために、読取原稿の長さに対応して、読取装置を大型化しなければならなかった。
【０００５】
【発明が解決しようとする課題】
本発明は、従来の問題点であった長寸の原稿を読取る場合の装置の大型化を解消することを目的とする。
【０００６】
更に、本発明は、複数の原稿の両面読取りを行う場合の読み取り時間を短縮することを目的とする。
【０００７】
更に、本発明は、装置の小型化に伴う送紙経路の曲率の増加に対応した円滑な原稿用紙の搬送を達成することを目的とする。
【００１０】
【課題を解決するための手段】
本発明は、原稿を読み取る読取部と、前記読取部により一方の面を読み取った原稿を受け取るスタックガイドと、前記スタックガイドの原稿をスイッチバックさせるスイッチバック手段と、一方の面を読み取った原稿を前記スイッチバック手段へ向けて搬送するための反転搬送経路と、前記スタックガイドの原稿をスイッチバックさせて前記読取部へ搬送する搬入経路と、前記搬入経路を通り他方の面を読み取った原稿を前記スタックガイドへ搬送する搬出経路と、前記搬出経路から前記スイッチバック手段によりスイッチバックされる原稿を排出する排出経路と、一方の面を読み取った原稿の搬送経路を前記反転搬送経路と前記搬入経路とで切り換えるとともに、他方の面を読み取った原稿の搬送経路を前記搬出経路と前記排出経路とで切り換える第１切換手段とを備え、前記スタックガイドと原稿との接点位置が原稿の前記排出経路への進入位置よりも高い位置となるよう設けられたことを特徴とする。
【００１１】
このような構造により、搬入経路と搬出経路とにより形成される搬送経路が途中で交差することがないので、搬送経路を進行中の原稿の先端がその原稿自体に当たってしまうことがなく、記録紙が長くなっても装置が大型化することがない。しかも、スタックガイドから排出される原稿をスムーズに搬送させることができる。
【００２２】
【発明の実施の形態】
以下に添付の図面に示された具体例に基づいて本発明の実施の形態について詳細に説明する。
【００２３】
図１１は、本発明に基づくファクシミリ装置のハードブロック図である。主制御部３１は、装置全体を制御する制御部である。表示部３２は、装置の状態等を表示するものである。操作部３３は、装置を操作するためのタッチパネル、ダイヤルキーからなるものである。読取部３４は、原稿の画情報を読み取るものであり、本発明である読取装置は、この読取部３４に含まれている。ＮＣＵ３６とモデム３７は、回線を介してファクシミリ通信を行うものである。画像メモリ３８は、読取部３４或いは、ファクシミリ通信で受信した画情報を記憶するメモリである。記録部３５は、画像メモリ３８に記憶されている画情報を記録するものである。ＲＡＭ３９は、主制御部３１が動作するプログラムのワークメモリである。ＲＯＭ４０は、主制御部３１が実行するプログラム等を格納する不揮発性のメモリである。
【００２４】
図１に例示したように、本発明の読取機構では、原稿は上段トレイ１１に載置される。導入ローラ２によって、最上部の原稿が給紙ローラ３とさばきローラ４との接点に向けて搬送され、さらに第１駆動ローラ５を経て第２駆動ローラ６へ向けて搬送される。このときの上段トレイ１１から読み取りガラス１６までの搬送経路を初期搬送経路Ｅとする。第２駆動ローラ６の下には、読み取りガラス１６が配置されていて、図示されてはいないが、この読み取りガラス１６の下には、原稿を読み取る部分が配置されていて、読み取りガラス１６と共に原稿読み取り部をなしている。
【００２５】
次に、原稿の位置に応じた読取機構の動作を図２から図８を参照して説明する。
【００２６】
図２は、片面コピー時の読取機構の側断面を表したものである。動作の説明を容易にするために、図中の原稿Ｐ１はその搬送経路に沿った長さを実際よりも拡張して描かれている。片面コピー時には、反転切換板８は下位置に回動され、両面切換板７は上位置に回動されている。上段トレイ１１に載置された最上部の原稿Ｐ１は、導入ローラ２により搬送されて、給紙ローラ３とさばきローラ４との間を通過し、さらに、第１駆動ローラ５、第２駆動ローラ６の順に搬送され、読み取りガラス１６の位置で原稿Ｐ１が読み取られる。読取り動作が進むにつれ、原稿Ｐ１は、上位置に回動されている両面切換板７に導かれて、排紙ローラ１０と排出補助ローラ２０との接点に向けて搬送され、排紙ローラ１０及び排出補助ローラ２０により、下段トレイ１３へ排出される。排紙ローラ１０の搬送経路下流側の上部には片面用除電ブラシ１５が設けれていて、原稿Ｐ１に生じた静電気がこの片面用除電ブラシ１５によって除去される。
【００２７】
次に両面コピー時の動作について説明する。図３は、両面コピー時の表面コピーの場合の読取機構の側断面を表したものである。このとき、反転切換板８は下位置に回動され、両面切換板７は下位置に回動されている。
【００２８】
読み取りガラス１６の位置で表面の読み込みが行われた原稿Ｐ１は、両面切換板７及び反転切換板８に導かれて、３連ローラの反転ローラ９と上方側ローラ１８との接点に向けて搬送される。このときの第２駆動ローラ６から、３連ローラの反転ローラ９と上方側ローラ１８との接点へ至る搬送経路が、反転搬送経路Ａを形成している。原稿Ｐ１は、一旦反転ローラ９と上方側ローラ１８とにより原稿Ｐ１の後端まで搬送され、原稿Ｐ１は中間トレイ（スタックガイド）１２に保持される。原稿Ｐ１が、反転ローラ９と上方側ローラ１８によりスタックガイド１２へ向けて搬送されるとき、除電ブラシ１４が原稿Ｐ１の裏面（直前に読み取りが行われた面とは反対側の面）を掃くことにより、原稿Ｐ１に生じた静電気が除去される。これで、両面コピー時の表面の読み取りが終了する。
【００２９】
次に、図４に示したように、表面の読み取りが終了した後に反転ローラ９の回転の向きを切り換えるために、反転ローラ９が一時停止し、反転切換板８が上方位置に回動して、スイッチバックされた原稿Ｐ１を第２駆動ローラ６に向けて搬送するための経路をなす搬入経路Ｂを形成する。次に、反転ローラ９が反転駆動（図３の場合とは逆に回転）して原稿Ｐ１をスイッチバックする。このとき、反転ローラ９と上方側ローラ１８とがスイッチバック手段として働いている。
【００３０】
図５に示したように、スイッチバックされた原稿Ｐ１は、反転ローラ９により、第２駆動ローラ６に向けて搬送される。このとき原稿Ｐ１が搬送される反転ローラ９と上方側ローラ１８との接点から反転第２駆動ローラ６へ至る搬送経路が、搬入経路Ｂを形成している。
【００３１】
原稿Ｐ１は、読み取りガラス１６の位置でその裏面が読み取られた後、下方位置に回動されている両面切換板７と上方位置に回動されている反転切換板８とに導かれて、反転ローラ９と下方側ローラ１９との接点へ向けて搬送される。このときの第２駆動ローラ６から、反転ローラ９と下方側ローラ１９との接点へ至る搬送経路が、搬出経路Ｃを形成している。
【００３２】
図５から分かるように、反転切換板８が上方位置へ回動することにより、反転ローラ９と上方側ローラ１８との接点から送り出されたスイッチバックした原稿Ｐ１を読み取りガラスの位置へ搬送する経路（搬入経路Ｂ）と、この原稿Ｐ１を反転ローラ９と下方側ローラ１９との接点へ案内する経路（搬出経路Ｃ）とが同時に形成されるようになっている。原稿Ｐ１はこの搬入経路Ｂと搬出経路Ｃとによって形成される搬送経路Ｂ＋Ｃを通って搬送され、このとき搬送経路Ｂ＋Ｃは交差した部分がない開いたループをなしているので、搬送経路Ｂ＋Ｃに沿って搬送される原稿Ｐ１の先端が、搬送経路Ｂ＋Ｃ内を進行するその原稿Ｐ１自身に接触したり当接することがなく、原稿Ｐ１が長寸なものであっても、装置を大型化せずに原稿Ｐ１の搬送を行うことができる。
【００３３】
スイッチバックされた原稿Ｐ１は、反転ローラ９と下方側ローラ１９により、再び原稿Ｐ１の後端まで搬送され、搬送された原稿Ｐ１は中間トレイ（スタックガイド）１２に保持される。原稿Ｐ１が反転ローラ９と下方側ローラ１９によりスタックガイドへ向けて搬送されるとき、除電ブラシ１４が原稿Ｐ１の表面（直前に読み取りが行われた面とは反対側の面）を掃くことにより、原稿Ｐ１に生じた静電気が除去される。これで、両面コピー時の裏面の読み取りが終了する。
【００３４】
図６に示したように、原稿Ｐ１の後端が反転ローラ９と下方側ローラ１９との接点まで搬送されると、反転切換板８は再び下方位置に回動して、後続の原稿Ｐ２を搬送する経路（反転搬送経路Ａ）が形成されるとともに、反転ローラ９と下方側ローラ１９とが原稿Ｐ１をスイッチバックして、排紙ローラ１０と排出補助ローラ２０との接点へ向けて原稿Ｐ１を搬送する。このとき原稿Ｐ１が搬送される反転ローラ９と下方側ローラ１９との接点から排紙ローラ１０と排出補助ローラ２０との接点までの搬送経路が排出経路Ｄとなる。
【００３５】
次に、図７に示したように、再び反転ローラ９が反転駆動（図５の場合とは逆の回転）を行い、反転ローラ９と下方側ローラ１９とにより原稿Ｐ１がスイッチバックされて下段トレイ１３へ排出され、これと同時に、後続の原稿Ｐ２を反転ローラ９と上方側ローラ１８からスタックガイド１２へ向けて搬送する。このとき、反転ローラ９と下方側ローラ１９は、原稿Ｐ１をスイッチバックするスイッチバック手段として働いている。
【００３６】
図７から分かるようにスタックガイド１２から下段トレイ１３へ排出される原稿Ｐ１の搬送経路（排出経路Ｄ）の曲率半径は、装置の小型化を達成するために小さなものとなっている。このような曲率半径の小さな搬送経路を通して原稿Ｐ１を搬送する場合には、原稿Ｐ１の先端がこの経路に進入するときに経路の途中で引っかかることを防止するために、原稿Ｐ１の進行方向と、原稿Ｐ１の先端が接する部分での搬送経路の接線とがなす角度（原稿Ｐ１の進入角度という）を、できるだけ小さくすることが考えられる。このように原稿Ｐ１の進入角度を小さくするために、スタックガイド１２は、図７に例示したように途中で折れ曲がった断面形状を有し、この折れ曲がった部分が反転ローラ９と下方側ローラ１９との接点よりも高い位置となるように、スタックガイドの取付位置が設定されている。このように設定することで、原稿Ｐ１とスタックガイド１２の折れ曲がった部分との接点が、下方側ローラ１９と反転ローラ９との接点よりも上側に位置することになり、原稿Ｐ１の進行方向と、原稿Ｐ１の先端が接する部分での搬送経路の接線とがなす角度が小さくされる。
【００３７】
図８には、反転切換板８が下位置にあるときの排出経路Ｄの形成と反転切換板８の動作との関係が示されている。図８（ａ）は、図８（ｂ）の線ａ−ａ’に沿った断面を表している。反転切換板８と仕切部材２５とは、図８に例示したように互いにかみ合うような形状を有する。反転切換板８が下位置にあるときは、図８に示したように排出経路Ｄは、反転切換板８の第１の表面Ｓ１と仕切部材２５の第１の表面Ｓ３とによって、その一部が形成される。スタックガイド１２から反転ローラ９と下方側ローラ１９とによって排出される原稿Ｐ１の先端は、反転切換板８の第１の表面Ｓ１と仕切部材２５の第１の表面Ｓ３に沿って移動する。このとき、上述したように、スタックガイド１２の折れ曲がった部分が反転ローラ９と下方側ローラ１９との接点よりも高い位置となるように配置されているので、原稿Ｐ１の進入角度が小さく、更に、排出経路Ｄ内を進行する原稿Ｐ１の先端は、反転切換板８の第１の表面Ｓ１と仕切部材２５の第１の表面Ｓ３とによって導かれて移動するので、原稿Ｐ１の先端が排出経路Ｄの途中で引っかかることがない。また、このとき、反転搬送経路Ａは、反転切換板８の第２の表面Ｓ２によってその一部が形成され、この反転搬送経路Ａを搬送されている後続の原稿Ｐ２は、反転切換板８の第２の表面Ｓ２に沿って搬送される。
【００３８】
図９には、反転切換板８が上位置にあるときの搬入経路Ｂ及び搬出経路Ｃの形成と反転切換板８の動作との関係が示されている。図９（ａ）は、図９（ｂ）の線ａ−ａ’に沿った断面を表している。図９に示したように、反転切換板８が上位置にあるときは、搬入経路Ｂ及び搬出経路Ｃが形成される。原稿Ｐ１は、反転切換板８の第２の表面Ｓ２によってその一部が形成された搬入経路Ｂを通って、読み取りガラス１６へ向けて搬送され、読み取りが行われた後に、反転切換板８の第１の表面Ｓ１と仕切部材２５の第２の表面Ｓ４とによってその一部が形成された搬出経路Ｃを通って、反転ローラ９と下方側ローラ１９との接点に向けて搬送される。搬出経路Ｃを進行する原稿Ｐ１の先端は、反転切換板８の第１の表面Ｓ１と仕切部材２５の第２の表面Ｓ４とによって形成された経路に沿って移動する。
【００３９】
図７に示したように、原稿Ｐ１の搬入と排出を同時に行うことができるとともに、３連の反転ローラ９の搬送方向下流側に反転ローラ９の上方側と下方側とを切り換える反転切換板８を設けたことにより、図５に示された原稿Ｐ１が交差する搬送経路を搬送されることがなく、原稿Ｐ１を反転するため部分の構成を小型化することができる。
【００４０】
図１０には、ＡＤＦカバー２１、ジャム解除板２２、原稿台２３及びスタックガイド１２、及び反転ユニット２４を開いた位置に回動させたときの状態が示されている。ＡＤＦカバー２１及びジャム解除板２２は、第２駆動ローラ６の外周の外側であって第１駆動ローラ５と第２駆動ローラ６と結ぶ搬送経路を挟んで第２駆動ローラ６とは反対側に配置された第１ピボット２６を軸として回動する。反転ユニット２４は、排紙ローラ１０の下方に配置された第２ピボット２７を軸として回動する。原稿台２３及びスタックガイド１２は、図示されていない第３ピボットを軸として回動する。ＡＤＦカバー２１を開いた状態に回動することにより、原稿台２３の上段トレイ１１から読み取りガラス１６への初期搬送経路Ｅで停止した原稿Ｐ１にアクセスすることができ、ジャム解除板２２を開いた位置に回動することにより、搬入経路Ｂで停止した原稿Ｐ１にアクセスすることができ、反転ユニット２４を開いた位置に回動することにより、排出経路で停止した原稿Ｐ１、搬出経路Ｃで停止した原稿Ｐ１、及び反転搬送経路Ａで停止した原稿Ｐ１に、各々アクセスすることができる。このように、全ての経路で停止した原稿Ｐ１にアクセスすることができる構成により、原稿Ｐ１が読取装置内で停止した場合に、損傷を与えずに原稿Ｐ１を取り出すことができる。
【００４１】
【発明の効果】
本発明では、原稿Ｐ１を３連ローラを用いてスイッチバックして反転する構成を採用し、しかも３連ローラの上方側ローラと反転ローラとを用いて読み取った原稿Ｐ１をスイッチバックするために搬出する動作と、３連ローラの反転ローラと下方側ローラとを用いて読み取りの終わった原稿Ｐ１を排出する動作とを同時に行う構成とし、スタックガイドと原稿との接点位置を原稿の排出経路への進入位置よりも高い位置となるよう設けたことで、読み取り動作の高速化を達成するとともに、スタックガイドから排出される原稿をスムーズに搬送させることができる。
【図面の簡単な説明】
【図１】本発明に基づく読取装置の模式的側断面図。
【図２】片面読取りのとき送紙経路を表す図１と同様の図。
【図３】両面読取りのときの表面読取り時の送紙経路を表す図１と同様の図。
【図４】両面読取りのときの表面読取り終了後、反転ローラ９切換のための送紙一時停止状態を表す図１と同様の図。
【図５】両面読取りのときの裏面読取り時の送紙経路を表す図１と同様の図。
【図６】両面読取りのときの裏面読取り終了後、反転ローラ９切換のための送紙一時停止状態を表す図１と同様の図。
【図７】両面読取りのときのの表面及び裏面の読取り終了後、排紙と同時に次の原稿Ｐ２の表面の読取り時の送紙経路を表す図１と同様の図。
【図８】ａ及びｂからなり、ａは反転切換板８が下位置にあるときの排出経路の形成と反転切換板８の動作との関係を表す模式的な側断面図、ｂは図８ａの右側から見た場合の反転切換板８と仕切部材２５を表す模式図。
【図９】ａ及びｂからなり、ａは反転切換板８が上位置にあるときの搬出経路Ｃの形成と反転切換板８の動作との関係を表す模式的な側断面図、ｂは図９ａの右側から見た場合の反転切換板８と仕切部材２５を表す模式図。
【図１０】ＡＤＦカバー２１、ジャム解除板２２、原稿台２３、及び反転ユニット２４を開いた位置に回動させたときの図１と同様の図。
【図１１】  本発明に基づく読取装置及びファクシミリ装置のハードブロック図。
【符号の説明】
１  原稿ガイド
２  導入ローラ
３  給紙ローラ
４  さばきローラ
５  第１駆動ローラ
６  第２駆動ローラ
７  両面切換板
８  反転切換板
９  ３連ローラの反転ローラ
１０  排紙ローラ
１１  上段トレイ
１２  スタックガイド（中間トレイ）
１３  下段トレイ
１４  両面用除電ブラシ
１５  片面用除電ブラシ
１６  読み取りガラス
１７  原稿センサ
１８  ３連ローラの上方側ローラ
１９  ３連ローラの下方側ローラ
２０  排出補助ローラ
２１  ＡＤＦカバー
２２  ジャム解除板
２３  原稿台
２４  反転ユニット
２５  仕切部材
２６  第１ピボット
２７  第２ピボット
３１  主制御部
３２  表示部
３３  操作部
３４  読取部
３５  記録部
３６  ＮＣＵ
３７  モデム
３８  画像メモリ
３９  ＲＡＭ
４０  ＲＯＭ
４１  メッセージ格納ＲＯＭ
Ｓ１  反転切換板８の第１の表面
Ｓ２  反転切換板８の第２の表面
Ｓ３  仕切部材２５の第１の表面
Ｓ４  仕切部材２５の第２の表面
Ａ  反転搬送経路
Ｂ  搬入経路
Ｃ  搬出経路
Ｄ  排出経路
Ｅ  初期搬送経路
Ｐ１  片面コピー時の原稿または両面コピー時の先行する原稿
Ｐ２  両面コピー時の後続の原稿
【図１】
0004361662.tif 000002
【図２】
0004361662.tif 000003
【図３】
0004361662.tif 000004
【図４】
0004361662.tif 000005
【図５】
0004361662.tif 000006
【図６】
0004361662.tif 000007
【図７】
0004361662.tif 000008
【図８】
0004361662.tif 000009
【図９】
0004361662.tif 000010
【図１０】
0004361662.tif 000011
【図１１】
0004361662.tif 000012